(57)【要約】【課題】送風抵抗を損なうことなく設置環境に馴染みやすい冷凍サイクルを利用した給湯機を提供する。【解決手段】筐体１０内部に熱交換器２２と圧縮器２１とプロペラを利用した送風フアン２４を備えた給湯機１において、前記送風フアン２４の前面を覆う筐体面に排出通風部４０を形成し、この排出通風部４０に通風グリル部４１を配置し、前記通風グリル部４１は、前記送風フアン２４の回転軸Ｐを中心に等分に４分割され、前記の分割された分割グリル部４３は、送風フアン２４の回転方向に従って90度ずつ通風方向を変更する複数のガイド桟４５を備えるようにする。【選択図】図１
2006097938.tif 000002
【特許請求の範囲】
【請求項１】
筐体内部に熱交換器と圧縮器とプロペラを利用した送風フアンを備えた給湯機において、前記送風フアンの前面を覆う筐体面に排出通風部を形成し、この排出通風部に通風グリル部を配置し、前記通風グリル部は、前記送風フアンの回転軸を中心に等分に４分割され、前記の分割された分割グリル部は、送風フアンの回転方向に従って90度ずつ通風方向を変更する複数のガイド手段を備えていることを特徴とする給湯機。
【発明の詳細な説明】
【技術分野】
【０００１】
本発明は、冷凍サイクルを利用した給湯機の外観構図に関する。
【背景技術】
【０００２】
従来、給湯機は、ガスや石油などの化石燃料を燃焼したり、ヒータを介してお湯を沸かすことが一般的である。しかし、近年、日立ホーム・アンド・ライフ・ソリューション株式会社は冷凍サイクルを利用した給湯機を発売している。この給湯機は、一対の熱交換器と圧縮機と送風フアンなどから構成されるものである。そして、屋外に設置されて、温水を室内に提供する。
【０００３】
【非特許文献１】「ヒートポンプ給湯機カタログ２００３年夏」、日立ホーム・アンド・ライフ・ソリューション株式会社、２００３年、ｐ．３
【発明の開示】
【発明が解決しようとする課題】
【０００４】
前記従来例は、送風フアンにプロペラフアンを採用しているため、その筐体には送風フアンをガードする円形のフアンガードが設けられている。このフアンガードは、送風フアンを簡単にガードでき、しかも送風抵抗が少ないことから多用されている。
【０００５】
しかし、この種の給湯機は、その内部に給湯タンクを備えたり、あるいは大容量化に対応して複数の送風フアンを備える必要があることから装置が大型化しているため、この給湯機を室外に設置すると、筐体面に設けられる前記フアンガードの存在が屋外の環境に合い難いなどの課題がある。
そこで、本発明の目的は、送風抵抗を損なうことなく設置環境に馴染みやすい冷凍サイクルを利用した給湯機を提供することにある。
【課題を解決するための手段】
【０００６】
本発明に係る給湯機は、前記目的を達成するために、筐体内部に熱交換器と圧縮器とプロペラを利用した送風フアンを備えた給湯機において、前記送風フアンの前面を覆う筐体面に排出通風部を形成し、この排出通風部に通風グリル部を配置し、前記通風グリル部は、前記送風フアンの回転軸を中心に等分に４分割され、前記の分割された分割グリル部は、送風フアンの回転方向に従って90度ずつ通風方向を変更する複数のガイド手段を備えるようにする。
【発明の効果】
【０００７】
本発明によれば、送風抵抗を損なうことなく設置環境に馴染みやすい冷凍サイクルを利用した給湯機を提供することができる。
【発明を実施するための最良の形態】
【０００８】
以下、図１から図２１を参照して、本発明に係る実施の形態を説明する。なお、同一部位や矢印などは同一符号をもって示し重複した説明を省略する。
（第1の実施の形態）
図１から図４は、第1の実施の形態に係る給湯機である。先ず、図１と図２を参照して、この給湯機の概略構造を説明する。図１は、給湯機の概略説明図であり、（ａ）図が給湯機の正面図、（ｂ）が給湯機の右側面図、（ｃ）図が通風グリル部の正面図、（ｄ）図が通風グリル部の縦断面図、（ｅ）図が通風グリル部の横断面図である。図２は装置構成図である。
【０００９】
図１において、符号１で示す給湯機は、冷凍サイクルを利用して給湯を行う屋外設置型の給湯機である。この給湯機１は、奥行寸法Ｄより横幅寸法Ｗが大きく、横幅寸法Ｗより高さ寸法Ｈが大きい、箱型の筐体１０を備えている。
【００１０】
図２に示すように、前記筐体１０内には、冷媒を圧縮する圧縮器２１と、外気から熱を吸収する第1の熱交換器２２と、筐体１０内に取り込まれる水に対して熱を与える第２の熱交換器２３と、前記第1の熱交換器２２に外気を供給するプロペラ型の送風フアン２４と、温水を貯えるタンク２５と、図示しない四方弁などが内臓されている。
【００１１】
図１に戻り、この実施の形態では、背面側に外気を取り込むための吸気通風部３０を備え、筐体１０の前面に筐体１０内で熱交換された外気を筐体１０外に排出する排出通風部４０を備えている。そして、この実施の形態では、前記排出通風部４０の内部に上下に配列される一対の前記送風フアン２４を備え、この送風フアン２４と前記吸気通風部３０との間に前記第1の熱交換器２２を配置している。
【００１２】
そして、この実施の形態の大きな特徴は、プロペラ型の前記送風フアン２４で生成される渦巻流の空気抵抗を損なうことなく、屋外の設置環境に馴染ませやすい直線で構成される通風グリル４１のを備えた排出通風部４０の構造に特徴がある。
【００１３】
即ち、この実施の形態では、前記排出通風部４０を、前記筐体１０の前面に形成される通風開口部４２と、この通風開口部４２を覆う通風グリル４１とから構成する。前記通風グリル４１は、横に２列、縦に５段で分割される複数の分割グリル４３ａから４３ｆから構成され、各分割グリル４３は、正方形状の枠体４４と、この枠体４４内に等間隔で配列される複数の桟４５から構成される。前記桟４５は（ｄ）（ｆ）図に示すように、その断面形状が薄い板を斜めに配置した構造としている。このため、正面からみると、薄い板によって内部の送風フアン２４が見え難くするとともに、この通風グリル４１を通過する排気風（渦巻流）は前記複数の桟４５により屈折されるように案内される。
【００１４】
このような構造を持つ複数の分割グリル４３は、ほぼ同じ構造を備え、９０度回転または１８０度回転または２７０度回転して配置または形成される。これによって、従来円形のガードで独特の形状を備えていた排気通風部を縦桟または横桟で構成することができるので、縦線または横線で構成される屋外環境に馴染ませることができる。
また、この実施の形態の他の特徴は、前記各送風フアン２４の前面を４個の分割グリル４３ａから４３ｄで構成し、この４つの分割グリルの角部が交わる交点Ｐを送風フアン２４の回転軸（Ｐ）と一致させた点にある。
【００１５】
即ち、この実施の形態では、田の字状に配列した分割グリル４３ａから４３ｄの水平の分割線Ｘと垂直の分割線Ｙの交点を前記送風フアン２４の回転軸Ｐと一致させ、送風フアン２４のプロペラフアン２４ａをこの４個の分割グリル４３ａから４３ｄの投影面積内に収まる大きさに設定する。そして、各分割グリル４３を回転軸Ｐに対して一方向に向かって９０度ずつ回転させるように配置する。
【００１６】
例えば、（ｃ）図の右面上の分割グリル４３ａは、複数の桟４５が縦に配置され、各桟４５は右方向に傾斜している。このため、送風フアン２４から送風される空気は右方向（矢印Ｑ１）に向かって屈折させて送風させることができる。一方、右下の分割グリル４３ｂは、前記右上の分割グリル４１ａを時計周りに９０度回転させて配置している。このため、送風フアン２４から送風される空気は下方向(矢印Ｑ２)に向かって屈折される。同様に、左下の分割グリル４３ｃは、前記右下の分割グリル４１ｂを時計周りに９０度回転させて配置している。このため、送風フアン２４から送風される空気は左方向(矢印Ｑ３)に向かって屈折される。更に、左上の分割グリル４３ｄは、前記右下の分割グリル４１ｃを時計周りに９０度回転させて配置している。このため、送風フアン２４から送風される空気は上方向(矢印Ｑ４)に向かって屈折される。
【００１７】
ここで、この実施の形態では、送風フアン２４にプロペラフアン２４ａを採用しているので、この送風フアン２４から送風される空気は回転軸Ｐを中心とする渦巻流となる。この通風グリル４１によれば、前記渦巻流として、この通風グリル４１を通過する排気流は前記屈折方向が異なる４つの分割グリル４３により前記桟４５を斜めに通過するので、矢印Ｑ１からＱ４に示すように渦巻流の流れを妨げることなく、案内することができる。
このように、この実施の形態によれば、前記通風グリル４１を採用することにより、送風抵抗を損なうことなく、かつ設置環境に馴染みやすい形態とすることができる。
【００１８】
以下、図２から図４を参照して、更に説明を加える。
先ず、図２を参照して、この実施の形態の給湯サイクルを説明する。図２において、この実施の形態では、空気調和機や冷蔵庫などで使用される冷凍サイクルを採用している。図２では、この冷凍サイクルの概略的な装置のみ記載している。この実施の形態では、大容量化に対応させるため、圧縮器２１と第1の熱交換器２２及び送風フアン２４を２組使用している。つまり、この実施の形態では冷媒を循環させる循環路２６を２組備えている。それぞれの循環路２６は、圧縮器２１で冷媒を圧縮することで冷媒が高温となり、前記第２の熱交換器２３で給湯路２７から供給される水を温水にする。第２の熱交換器２３で熱を奪われた冷媒は前記第1の熱交換器２２に送られ再び熱を奪いにいく。この際、前記送風フアン２４を介して前記第1の熱交換器２２に外気を触れさすことで、前記効果を促進させる。そして、再び前記圧縮器２１に冷媒を送ることで、第1の熱交換器２２から熱を吸収した冷媒が再び圧縮され、前記サイクルを繰り返す。
前記第２の熱交換器２３では、前記給湯路２７を介して、水道水などが供給され、温水に熱交換される。温水は、一旦タンク２５に蓄積され、ポンプ２８を介して、温水の供給先に送られる。
次に、図２で説明した各装置の配置構造を図３で説明する。図３は、給湯機１の部品展開図である。
【００１９】
図３において、この実施の形態では、タンク２５を備えているので、筐体１０の内部を内部仕切板１１を介して左右に分割し、左側を熱交換室１２ａとし右側をタンク室１２ｂとしている。そして、筐体１０の外観を、左側面を構成する鋼板製のサイドカバー１３ａと、右側面を構成する鋼板製のサイドカバー１３ｂと、底面を構成する塩ビ樹脂製の底板１４と、上面を覆う天板１５と、前記熱交換室１２ａの前面を構成する通風枠体１６と、タンク室１２ｂの前面を構成する鋼板製のタンク室前面板１７とから構成する。
また、この実施の形態では、前記筐体１０の両側面を構成するサイドカバー１３ａ、１３ｂの断面形状をＬ型に形成し、この両部材を前面補強部材１８ａと、背面補強部材１８ｂで連結することで、全体の強度を高めている。
【００２０】
この実施の形態では、第1の熱交換器２２を複数の板状のフインを上下に積層し、その積層した複数のフインを貫くような複数の配管を通す構造としている。また、この第1の熱交換器２２は、上面から見てＬ型に形成され、前記熱交換室１２ａの背面と左側面に隣接して設置される。そして、前記吸気通風部３０は、この第1の熱交換器２２に通風するように、前記サイドカバー１３ａに複数の開口部３０ａが形成され、筐体１０の背面側は開放して形成される。
また、前記熱交換室１２ａの前面は、前記通風枠体１６が取付けられ、この通風枠体１６に複数の樹脂材料で形成される前記通風グリル４１が取付けられる。この実施の形態では、それぞれ独立して形成される複数の分割グリル４３を前記通風枠体１６に取り付けることで、通風グリル４１の製造コストを抑えているが、複数の分割グリル４３を一つの成型部材として形成してもよい。
【００２１】
そして、この熱交換室１２ａの内部には、取付部材１８ｃで支持された送風フアン２４が上下に配置され、その下部に圧縮器２１が配置される。この実施の形態では、前記第1の熱交換器２２を、配管的には上下に２分割している。このため、送風フアン２４を上下配置としている。
この熱交換室１２ａの構造によれば、送風フアン２４を動作させることにより、前記開口部３０ａ及び筐体１０の開放された背面から外気を取り込んで、前記第1の熱交換器２２を通過させ、前記排出通風部４０から吹き出すことができる。
【００２２】
一方、前記タンク室１２ｂは、内部仕切板１１とサイドカバー１３ｂとタンク室前面板１７などにより密閉された空間となる。この密閉された空間には、断熱材に覆われたタンク２５と、ポンプ２８及び制御系の電気品ボックス１９が配置される。前記タンク２５は、その周囲を第２の熱交換器２３で覆われ、更にその周囲を断熱材で覆われている。これにより、タンク２５の保温効果を向上させている。
次に、図４を参照して、この第１の実施の形態に係る給湯機１の外観形状を説明する。図４は、第１の実施の形態に係る給湯機１の外観図であり、（ａ）図が平面図、（ｂ）図が左側面図、（ｃ）図が正面図、（ｄ）図が底面図、（ｅ）図が左側面図、（ｆ）図が背面図である。
【００２３】
図４において、この実施の形態では、同一形状の分割グリル４３を回転させて通風グリル４１を２列、５段で構成する。このため、分割グリル４３ａと４３ｃは縦桟構成となり、分割グリル４３ｂと４３ｄは横桟となる。このため、縦横が千鳥状に配列される。したがって、この実施の形態によれば、筐体１０の正面は平面の中に縦横模様のタイルを貼り付けた模様となる。このため、縦横の直線や平面及び格子などからなる屋外の設置環境に馴染む形状となる。また、この実施の形態では、送風フアン２４が１個に対して田の字状の４枚の分割グリル４３を１組として対応させる。
【００２４】
この実施の形態では、筐体１０の大きさと通風グリル４１の大きさが合わない場合はダミーの分割グリルを利用して調整する。例えば、図４に示す例では、最下部にダミーの分割グリル４３ｅを設けるようにする。この実施の形態によれば、筐体１０の下部に圧縮機を配置するスペースを確保しつつ、通風グリル４１を介して筐体１０の平らな面を左右に分割することができる。なお、この実施の形態では、通風グリル４１の下部にダミーを設けたが上部に配置するようにしてもよい。
【００２５】
(第１の実施の形態の応用例)
次に、図５から図１１は第１の実施の形態に係る他の応用例を示している。図５から図１１はいずれも第１の実施の形態の応用例に係る給湯機の外観図であり、基本的な構造は図１から図４に示す給湯機と同様である。図５から図１０において、（ａ）図が平面図、（ｂ）図が左側面図、（ｃ）図が正面図、（ｄ）図が底面図、（ｅ）図が左側面図、（ｆ）図が背面図である。また、図１１において、（ａ）から（ｃ）図は給湯機の正面図であり、（ｄ）図は（ｃ）図の給湯機の通風グリルの横断面図である。なお、図１１の他の両側面や背面上下面などは図４と同一である。
以後の説明では、各応用例の特徴的な部分についてのみ説明する。ここで説明する応用例は、前記複数の分割グリルと、その周囲を構成する平面部との組み合わせで多様が外観に対応させることができる。
【００２６】
先ず、図５において、この実施の形態では、通風グリルを上方に抜けるように、この通風グリルの両側と底面に平面部を残した正面形状としている。
【００２７】
図６において、この実施の形態は、通風グリルを左方に抜けるように、この通風グリルの上下と右側に平面部を残した正面形状としている。
【００２８】
図７において、この実施の形態は、通風グリルの周囲に平面部を残すように、ダミーとなる分割グリルを減らして、その減らした分の面積を平面として、取付部材の上下に平面板を取り付けたものである。
【００２９】
図８において、図７の実施の形態では、取付部材により、正面が左右に３分割していたが、この実施の形態では、前記分割を減らして、筐体の正面を左右の２枚の板と下部の板の３枚で構成したものである。
【００３０】
図９において、この実施の形態では、筐体の正面を通風グリルとタンク室前面板と下方の板で構成したものである。
【００３１】
図１０において、この実施の形態は、通風グリルの両側に平面を残して左右３分割としたものである。この実施の形態では、内部の圧縮器の配置スペースを確保するために、他の字状の４個の分割グリルの間と、最下部にダミーの分割グリルをそれぞれ１段設けている。
【００３２】
図１１(ａ)から（ｃ）の実施の形態は、図４の実施の形態における中段に配置されたダミーの分割グリルを平板で構成したものである。（ａ）図は単に桟をなくしたものであり、（ｂ）図は左右のダミーを連続した平板で構成したものであり、（ｃ）図は筐体の構造を変更して、一枚のパネルの上下に独立する田の字状の分割グリルを独立させたものである。
【００３３】
図１１（ｄ）（ｅ）図において、この実施の形態は、通風グリルを左右２枚の分割グリルで構成し、右側に排気流を右方向にガイドする複数の縦桟で構成された分割グリルとし、左側を排気流を左方向にガイドする複数の縦桟で構成された分割グリルで構成したものである。
【００３４】
次に、図１２から図１９は、第２の実施の形態に係る給湯機の外観図を示している。図１２から図１８はいずれも第２の実施の形態に係る給湯機の外観図である。この実施の形態の特徴は、前記図１から図４で説明した給湯機からタンクを取り除いて、あるいは、タンクを小さくして、タンク室をなくしたものである。この実施の形態によれば、全体をスリムに形成することができるので設置スペースを小さくすることができる。また、左右対称な外観とすることができるので、より屋外の設置環境に馴染ませやすい。これらの実施の形態は、タンクをなくした以外は第１の実施の形態と同様な構造を備えている。
【００３５】
また、図１２から図１８において、（ａ）図が平面図、（ｂ）図が左側面図、（ｃ）図が正面図、（ｄ）図が底面図、（ｅ）図が左側面図、（ｆ）図が背面図である。また、図１９において、（ａ）から（ｃ）図は給湯機の正面図であり、（ｄ）図は（ｃ）図の給湯機の通風グリルの横断面図である。なお、図９の他の両側面や背面上下面などは図１２と同一である。
以後の説明では、各応用例の特徴的な部分についてのみ説明する。ここで説明する応用例は、前記複数の分割グリルと、その周囲を構成する平面部との組み合わせで多様が外観に対応させることができる。
【００３６】
図１２において、この実施の形態は、図１から図４の実施の形態と同様な特徴を備えている。つまり、タンク室が無い分、通風グリルの両側の柱状の平面が左右対称となる。
【００３７】
図１３において、この実施の形態では、通風グリルを上方に抜けるように、この通風グリルの両側と底面に平面部を残した正面形状としている。
【００３８】
図１４において、この実施の形態は、通風グリルの周囲に平面部を残すように、ダミーとなる分割グリルを減らして、その減らした分の面積を平面として、取付部材の上下に平面板を取り付けたものである。
【００３９】
図１５において、図１４の実施の形態では、取付部材により、正面が左右に３分割していたが、この実施の形態では、前記分割を減らして、筐体の正面を上部の大きな平面板と下部の小さな板で構成したものである。
【００４０】
図１６において、この実施の形態は、通風グリルを左方に抜けるように、この通風グリルの上下と右側に平面部を残した正面形状としている。
【００４１】
図１７において、この実施の形態では、筐体の正面を通風グリルとその下部の小さな脚部用の平板で構成したものである。
【００４２】
図１８において、この実施の形態は、通風グリルの両側に平面を残して左右３分割としたものである。
【００４３】
図１９(ａ)から（ｃ）の実施の形態は、図１２の実施の形態における中段に配置されたダミーの分割グリルを平板で構成したものである。（ａ）図は単に桟をなくしたものであり、（ｂ）図は左右のダミーを連続した平板で構成したものであり、（ｃ）図は筐体の構造を変更して、一枚のパネルの上下に独立する田の字状の分割グリルを独立させたものである。
【００４４】
図１９（ｄ）（ｅ）図において、この実施の形態は、通風グリルを左右２枚の分割グリルで構成し、右側に排気流を右方向にガイドする複数の縦桟で構成された分割グリルとし、左側を排気流を左方向にガイドする複数の縦桟で構成された分割グリルで構成したものである。
【００４５】
次に、図２０を参照して、第３の実施の形態を説明する。図２０は第３の実施の形態に係る外観図であり、（ａ）図が平面図、（ｂ）図が左側面図、（ｃ）図が正面図、（ｄ）図が底面図、（ｅ）図が左側面図、（ｆ）図が背面図、（ｇ）図が分割グリル部分の横断面図、（ｈ）図が排気流の流れを示す要部正面図である。
【００４６】
図２０において、この実施の形態は、例えば図１２に示す給湯機の前面に、その正面が平坦面で形成される正面パネル５０を取り付けたものである。この正面パネルは、正面からみて筐体１０と同様な面積を備え、周側面に排気溝５１を備えている。
（ｇ）（ｈ）図に示すように、この実施の形態によれば、送風フアンによって排気される空気は、前記分割グリル４３ａによって、右側に屈折され、この屈折した空気は、前記排気溝５１から排気される。同様に分割グリル４３ｂは下方に、分割グリル４３ｃ左側に、分割グリル４３ｄは上方に向かって屈折され前記排気溝５１から排気される。
このように、この実施の形態では、筐体１０の正面をフラットな平面で形成することができるので、給湯機をより屋外の設置環境に馴染ませやすくすることができる。
【００４７】
(第４の実施の形態)
次に、図２１を参照して第４の実施の形態に係る給湯機を説明する。図２１は、給湯機の通風グリルの構造図であり、(ａ)から（ｃ）が１つの実施の形態、（ｄ）から（ｆ）図が他の実施の形態を示し、（ａ）（ｄ）図が通風グリルの正面図、（ｂ）（ｅ）図が給湯機の要部正面図、（ｃ）（ｆ）図が通風グリルの断面図を示している。
【００４８】
この実施の形態に係る給湯機は、通風グリルの模様に特徴を備えている。
先ず、(ａ)から（ｃ）図において、この実施の形態は、ひし形の模様を備えている。この実施の形態も回転軸Ｐを中心に分割グリルを田の字状に配列している。ここで、図１から図４の実施の形態は、縦横の桟で構成していたが、この実施の形態では、枠体４４の内部に外側に向かって斜めに傾斜する桟４５で構成している。
【００４９】
例えば、分割グリル４３ａと４３ｃは左上から左下に向かって、分割グリル４３ｂと４３ｄは右上から左下に向かって傾斜する複数の斜線で形成され、各分割グリルのそれぞれの桟４５は連続して形成される。このため、通風グリル４１を正面から見ると回転軸Ｐを中心とする複数の相似形状のひし形模様となっている。この実施の形態によれば、前記図１と同様な効果を得ることができる。
【００５０】
また、(ｄ)から（ｆ）図において、この実施の形態は、円形の模様を備えている。この実施の形態も回転軸Ｐを中心に分割グリルを田の字状に配列している。ここで、図１から図４の実施の形態は、縦横の桟で構成していたが、この実施の形態では、枠体４４の内部に外側に向かって傾斜する１／４円弧の複数の桟４５で構成している。
【００５１】
この実施の形態によれば、通風グリル４１を正面から見ると回転軸Ｐを中心とする複数の相似形状の円形模様となっている。この実施の形態によれば、前記図１と同様な効果を得ることができる。
なお、この図２１に示す通風グリルは、前記図１から図２０に示す通風グリルに置き換えることができる。
【図面の簡単な説明】
【００５２】
【図１】第１の実施の形態に係る給湯機の概略説明図である。
【図２】第１の実施の形態に係る給湯機の装置ブロックである。
【図３】第１の実施の形態に係る給湯機の部品展開図である。
【図４】第１の実施の形態に係る給湯機の外観図である。
【図５】第１の実施の形態の応用例に係る給湯機の外観図である。
【図６】第１の実施の形態の応用例に係る給湯機の外観図である。
【図７】第１の実施の形態の応用例に係る給湯機の外観図である。
【図８】第１の実施の形態の応用例に係る給湯機の外観図である。
【図９】第１の実施の形態の応用例に係る給湯機の外観図である。
【図１０】第１の実施の形態の応用例に係る給湯機の外観図である。
【図１１】第１の実施の形態の応用例に係る給湯機の外観図である。
【図１２】第２の実施の形態に係る給湯機の外観図である。
【図１３】第２の実施の形態の応用例に係る給湯機の外観図である。
【図１４】第２の実施の形態の応用例に係る給湯機の外観図である。
【図１５】第２の実施の形態の応用例に係る給湯機の外観図である。
【図１６】第２の実施の形態の応用例に係る給湯機の外観図である。
【図１７】第２の実施の形態の応用例に係る給湯機の外観図である。
【図１８】第２の実施の形態の応用例に係る給湯機の外観図である。
【図１９】第２の実施の形態の応用例に係る給湯機の外観図である。
【図２０】第３の実施の形態に係る給湯機の外観図である。
【図２１】第４の実施の形態に係る給湯機の外観図である。
【符号の説明】
【００５３】
１…給湯機、１０…筐体、１１…内部仕切板、１２ａ…熱交換室、１２ｂ…タンク室、１３ａ…サイドカバー、１３ｂ…サイドカバー、１４…底板、１５…天板、１６…通風枠体、１７…タンク室前面板、１８ａ…前面補強部材、１８ｂ…背面補強部材、１８ｃ…取付部材、１９…電気品ボックス、２１…圧縮器、２２…第1の熱交換器、２３…第２の熱交換器、２４…送風フアン、２４ａ…プロペラフアン、２５…タンク、２６…循環路、２７…給湯路、２８…ポンプ、３０…吸気通風部、３０ａ…開口部、４０…排出通風部、４１…通風グリル、４２…通風開口部、４３、４３ａから４３ｆ…分割グリル、４４…枠体、４５…桟、Ｄ…奥行寸法、Ｗ…横幅寸法、Ｈ…高さ寸法、Ｐ…交点または回転軸、Ｘ…水平の分割線、Ｙ…垂直の分割線、Ｑ１、Ｑ２，Ｑ３，Ｑ４…矢印。
【図１】
2006097938.tif 000003
【図２】
2006097938.tif 000004
【図３】
2006097938.tif 000005
【図４】
2006097938.tif 000006
【図５】
2006097938.tif 000007
【図６】
2006097938.tif 000008
【図７】
2006097938.tif 000009
【図８】
2006097938.tif 000010
【図９】
2006097938.tif 000011
【図１０】
2006097938.tif 000012
【図１１】
2006097938.tif 000013
【図１２】
2006097938.tif 000014
【図１３】
2006097938.tif 000015
【図１４】
2006097938.tif 000016
【図１５】
2006097938.tif 000017
【図１６】
2006097938.tif 000018
【図１７】
2006097938.tif 000019
【図１８】
2006097938.tif 000020
【図１９】
2006097938.tif 000021
【図２０】
2006097938.tif 000022
【図２１】
2006097938.tif 000023